【事件の表示】
　特願２０００−３４０５５１「フレキシブル配線基板」拒絶査定不服審判事件〔平成１４年　５月２４日出願公開、特開２００２−１５１８０６〕について、次のとおり審決する。
【結　論】
　本件審判の請求は、成り立たない。
【理　由】
［１］手続の経緯・本願発明
　本願は、平成１２年１１月８日の出願であって、その請求項１〜４に係る発明は、特許法第１７条の２の規定に基づき平成１７年２月１８日付け手続補正書によって補正された明細書及び図面（以下、「本願明細書及び図面」という。）の記載からみて、その特許請求の範囲の請求項１〜４に記載された事項により特定されるとおりのものと認められるところ、その請求項２に記載された発明（以下、「本願発明２」という。）は、請求項１に記載された事項を引用し、次のとおりである。
「【請求項２】請求項１記載のフレキシブル配線基板において、前記第２の接触部には、前記第２の接触部の先端から前記第３の方向で前記一辺側へ延在しかつ前記第２の配線パターンよりも前記第１及び第２の方向における幅寸法が狭く形成されて前記ベース板の板面に第２の幅狭部が配設されており、該第２の幅狭部が少なくとも前記第１の接触部間で前記第１の接触部に対して前記第１及び第２の方向で間隔をもって位置していることを特徴とするフレキシブル配線基板。」
　そして、請求項１に記載された事項は、次のとおりである。
「【請求項１】絶縁性のベース板と、該ベース板の一辺に平行な第１の方向及び該第１の方向とは逆向きの第２の方向で少なくとも前記一辺側の前記ベース板の板面に複数を配設した導電性の第１の接触部と、前記第１及び第２の方向を直交する第３の方向及び該第３の方向とは逆向きの第４の方向で前記第１の接触部から前記第４の方向へ位置ずれし前記ベース板の板面に複数を配設した導電性の第２の接触部と、前記第１の接触部に接続し前記第４の方向へ延在し前記ベース板の板面に配設した導電性の第１の配線パターンと、前記第２の接触部に接続し前記第４の方向へ延在し前記ベース板の板面に配設した導電性の第２の配線パターンとを有し、
　前記第１の配線パターンを有する前記第１の接触部の複数と前記第２の配線パターンを有する前記第２の接触部の複数とが前記第１及び第２の方向で接近した状態で交互に配列されており、前記第１及び第２の接触部が前記第１及び第２の方向で前記第１及び第２の配線パターンの幅寸法よりも幅広な寸法に形成されており、前記第２の接触部に前記第１及び第２の方向で接近して対向している前記第１の配線パターンの一部分を前記第１及び第２の方向で幅寸法を狭く形成した第１の幅狭部を有しているフレキシブル配線基板において、
　前記第１の接触部は、前記第１の幅狭部に接続している接続部分が前記第４の方向で前記第１の幅狭部側へ向かって先細り状に形成した第１の先細り状部を有し、前記第２の接触部は、前記第３の方向で先端部分が先端に向かって先細り状に形成した第２の先細り状部を有し、前記第１及び第２の先細り状部は、前記第３及び第４の方向で前記第１及び第２の方向に平行な一軸仮想線を含み互いに重なりに近い状態で接近しており、かつ第１及び第２の方向で接近して配設されていることを特徴とするフレキシブル配線基板。」
　　
［２］引用刊行物の記載事項
　これに対して、原査定の拒絶の理由に引用された、本願出願前に頒布された刊行物である実願平２−５６８８６号（実開平４−１５８７２号）のマイクロフイルム（以下、「引用刊行物」という。）には、下記の事項が記載されている。
　　
（ａ）「電子部品等に複数並設された端子に配線パターンの電極を接続して該電子部品等と配線パターンとを導通する回路基板に於て、左右に並設された端子に接続する電極を交互に前後方向へ変位して巾広に形成したことを特徴とする回路基板に於ける電極パターン。」（実用新案登録請求の範囲）、
（ｂ）実施例として、「（１０）はＦＰＣ（フレキシブルプリント回路基板）であつて、第１図に示すよう、該ＦＰＣ（１０）には配線パターン（１１）（１１）・・・が印刷されてあり、該ＦＰＣ（１０）の端部（１２）には配線パターン（１１）（１１）・・・の電極（１３）（１３）・・・，（１３ａ）（１３ａ）・・・が露出されている。これら電極（１３）（１３）・・・，（１３ａ）（１３ａ）・・・は交互に配設され、電極（１３）（１３）・・・はＦＰＣ（１０）の配線パターン（１１）側（第１図中上側）を巾広に形成して接触部（１４）（１４）・・・を設け、且つ、ＦＰＣ（１０）の先端部側（第１図中下側）の巾を細く延設している。一方、電極（１３ａ）（１３ａ）・・・は前記配線パターン（１１）（１１）・・・より電極（１３）（１３），（１３）（１３），・・・の接触部（１４）（１４），（１４）（１４）・・・間を細巾に形成してＦＰＣ（１０）の先端部側へ延設され、前記電極（１３）（１３）・・・の細巾に形成された先端部側の延設部（１５）（１５），（１５）（１５），・・・間にて該電極（１３ａ）（１３ａ）・・・の先端部側を巾広形成し、接触部（１４ａ）（１４ａ）・・・を設けている。従って、ＦＰＣ（１０）の左右に並設された電極（１３）（１３）・・・，（１３ａ）（１３ａ）・・・は交互に前後方向へ変位して巾広の接触部（１４）（１４）・・・，（１４ａ）（１４ａ）・・・を形成している。そして、該接触部（１４）（１４），（１４）（１４）・・・，（１４ａ）（１４ａ），（１４ａ）（１４ａ）・・・間の延設部（１５ａ）（１５ａ），（１５）（１５），・・・を細巾に形成している。前記ＦＰＣ（１０）は第２図及び第３図に示すＦＰＣ用のコネクタ（１６）に挿入して、該コネクタ（１６）を装着したＰＣ基板（１７）の回路パターン（図示せず）とＦＰＣ（１１）の配線パターン（１１）（１１）・・・と導通する。」（第４頁８行〜第５頁１２行）が記載されている。
（ｃ）第１図のＦＰＣの一部切欠平面図には、ＦＰＣ（１０）の先端部の辺と直交する方向に延在する配線パターン（１１）が多数、該辺に平行な方向に接近した状態で設けられ、各配線パターン（１１）先端には、二種類の電極（電極（１３）と電極（１３ａ）と）が上記辺に沿って交互に設けられ該辺に平行な方向に配列され、各電極（１３）の接触部（１４）は、配線パターン（１１）より巾広に形成され、配線パターン（１１）より細巾に形成された隣接する電極（１３ａ）の部分に接近して位置し、各電極（１３）の先端部側の延設部（１５）は配線パターン（１１）より細巾に形成され、配線パターンより巾広に形成された両側に隣接する電極（１３ａ）の接触部（１４ａ）間に、該接触部（１４ａ）に対して上記辺に平行な方向で間隔をもって位置している点、及び、上記接触部（１４ａ）は、その細巾に形成された部分（１５ａ）に接続する部分が、該部分（１５ａ）側へ向かって先細り状に形成された先細り状部を有し、上記接触部（１４）は、その細巾に形成された延設部（１５）側へ向かって先細り状に形成された先細り状部を有し、両先細り状部は、上記辺と直交する方向で互いに接近しており、かつ上記先端部の辺に平行な方向で接近して配設されている点が図示されている。
　　
［３］対比・判断
　摘記（ａ）によれば、引用刊行物には、電子部品等に複数並設された端子に配線パターンの電極を接続して該電子部品等と配線パターンとを導通する回路基板に於て、左右に並設された端子に接続する電極を交互に前後方向へ変位して巾広に形成した、回路基板に於ける電極パターンが記載されており、当該電極パターンは回路基板の一部の構成であるから、当該電極パターンを有する回路基板が記載されているともいえる。
　また、摘記（ｂ）によれば、上記回路基板は、フレキシブルプリント回路基板であって、該回路基板には、多数の配線パターンが印刷されてあり、該回路基板の端部には、各配線パターンの先端側に二種類の電極（電極（１３）と電極（１３ａ）と）が交互に設けられ、電極（１３）は、配線パターン側に巾広に形成した接触部を有し、且つ、先端側の巾を細巾に延設し、一方、電極（１３ａ）は、電極（１３）の接触部間の部分が配線パターンより細巾に形成され、電極（１３）の細巾の延設部間にて先端部側に巾広の接触部が形成され、従って、該回路基板の左右に並設された電極（１３）と電極（１３ａ）とは、交互に前後方向へ変位して巾広の接触部を有し、該接触部間に位置する各電極の部分は細巾に形成されている。
  また、摘記（ｃ）によれば、上記配線パターン（１１）は、上記回路基板の先端部の辺と直交する方向に延在して、該辺に平行な方向に接近した状態で多数設けられ、各配線パターン（１１）先端には、二種類の電極（電極（１３）と電極（１３ａ）と）が上記辺に沿って交互に設けられ、該辺に平行な方向に配列され、各電極（１３）の接触部は、その配線パターンよりも巾広に形成され、隣接する電極（１３ａ）の配線パターンより細巾に形成された部分に接近し、各電極（１３）の先端部側の延設部は、その配線パターンより細巾に形成され、両側に隣接する電極（１３ａ）の配線パターンよりも巾広に形成された両接触部間に、該両接触部に対して上記辺に平行な方向で間隔をもって位置しており、また、各電極（１３ａ）の接触部は、その細巾に形成された部分側へ向かって先細り状に形成された先細り状部を有し、各電極（１３）の接触部は、その細巾に形成された延設部側へ向かって先細り状に形成された先細り状部を有し、両先細り状部は、上記辺と直交する方向で互いに接近しており、かつ上記辺に平行な方向で接近して配設されている。
　　
　これらの事項を総合すると、引用刊行物には、「フレキシブルプリント回路基板の先端部の辺に平行な方向に接近した状態で、該辺と直交する方向に延在する多数の配線パターンが設けられ、各配線パターンの先端には、二種類の電極（電極（１３）と電極（１３ａ）と）が上記辺に沿って交互に設けられ、該辺に平行な方向に配列され、
　電極（１３）は、その配線パターンより巾広に形成された接触部を配線パターン側に有し、該接触部は、隣接する電極（１３ａ）の配線パターンより細巾に形成された部分に接近し、且つ、電極（１３）の配線パターンより細巾に形成された延設部を先端部側に有し、該延設部は、両側に隣接する電極（１３ａ）の配線パターンより巾広に形成された両接触部間で該両接触部に対して、上記辺に平行な方向で間隔をもって位置しており、したがって、上記辺に平行な方向に交互に設けられた電極（１３）と電極（１３ａ）とは、該辺と直交する方向へ交互に変位して巾広の接触部を有し、交互に隣接する該接触部間に離間して、各電極の細巾に形成された部分又は延設部が交互に位置しており、
　また、電極（１３ａ）の接触部は、その細巾に形成された部分側へ向かって先細り状に形成された先細り状部を有し、電極（１３）の接触部は、その細巾に形成された延設部側へ向かって先細り状に形成された先細り状部を有し、両先細り状部は、上記辺と直交する方向で互いに接近しており、かつ該辺に平行な方向で接近して配設されているフレキシブルプリント回路基板」の発明（以下、「引用発明」という。）が記載されているといえる。
　　
　そして、本願発明２と引用発明とを対比すると、引用発明における「フレキシブルプリント回路基板」、「フレキシブルプリント回路基板」の基板部分、「フレキシブルプリント回路基板の先端部の辺」は、それぞれ本願発明２における「フレキシブル配線基板」、「絶縁性のベース板」、「ベース板の一辺」に相当する。
　また、引用発明における「（フレキシブルプリント回路基板の先端部の）辺に平行な方向」、「（同）辺と直交する方向」は、それぞれ本願発明２における「ベース板の一辺に平行な第１の方向及び該第１の方向とは逆向きの第２の方向」、「第１及び第２の方向を直交する第３の方向及び該第３の方向とは逆向きの第４の方向」に相当し、該「第３の方向」と「第４の方向」とは、それぞれ引用発明における上記「（同）辺と直交する方向」のうちの、配線パターンの「配線パターンの先端」に向かう方向と、その逆の方向とに該当するといえる。
　また、引用発明における「電極（１３）」、「電極（１３ａ）」、先端に電極（１３）を設けた「配線パターン」、先端に電極（１３ａ）を設けた「配線パターン」、「電極（１３）の配線パターンより巾広に形成された接触部」、「電極（１３ａ）の配線パターンより巾広に形成された接触部」、「電極（１３）の配線パターンより細巾に形成された延設部」、「電極（１３ａ）の配線パターンより細巾に形成された部分」は、それぞれ本願発明２における「第２の接触部」及び「第２の幅狭部」を併せたもの、「第１の接触部」及び「第１の幅狭部」を併せたもの、「第２の配線パターン」、「第１の配線パターン」、「第２の接触部」、「第１の接触部」、「第２の幅狭部」、「第１の幅狭部」に相当する。
　また、引用発明における「電極（１３）の接触部・・の細巾に形成された延設部側へ向かって先細り状に形成された先細り状部」、「電極（１３ａ）の接触部・・の細巾に形成された部分側へ向かって先細り状に形成された先細り状部」は、それぞれ本願発明２における「第２の先細り状部」、「第１の先細り状部」に相当する。
　してみると、両者は、「絶縁性のベース板と、該ベース板の一辺に平行な第１の方向及び該第１の方向とは逆向きの第２の方向で少なくとも前記一辺側の前記ベース板の板面に複数を配設した導電性の第１の接触部と、前記第１及び第２の方向を直交する第３の方向及び該第３の方向とは逆向きの第４の方向で前記第１の接触部から前記第４の方向へ位置ずれし前記ベース板の板面に複数を配設した導電性の第２の接触部と、前記第１の接触部に接続し前記第４の方向へ延在し前記ベース板の板面に配設した導電性の第１の配線パターンと、前記第２の接触部に接続し前記第４の方向へ延在し前記ベース板の板面に配設した導電性の第２の配線パターンとを有し、
　前記第１の配線パターンを有する前記第１の接触部の複数と前記第２の配線パターンを有する前記第２の接触部の複数とが前記第１及び第２の方向で接近した状態で交互に配列されており、前記第１及び第２の接触部が前記第１及び第２の方向で前記第１及び第２の配線パターンの幅寸法よりも幅広な寸法に形成されており、前記第２の接触部に前記第１及び第２の方向で接近して対向している前記第１の配線パターンの一部分を前記第１及び第２の方向で幅寸法を狭く形成した第１の幅狭部を有しているフレキシブル配線基板において、
　前記第１の接触部は、前記第１の幅狭部に接続している接続部分が前記第４の方向で前記第１の幅狭部側へ向かって先細り状に形成した第１の先細り状部を有し、前記第２の接触部は、前記第３の方向で先端部分が先端に向かって先細り状に形成した第２の先細り状部を有し、前記第１及び第２の先細り状部は、前記第３及び第４の方向で互いに接近しており、かつ第１及び第２の方向で接近して配設されているフレキシブル配線基板であって、前記第２の接触部には、前記第２の接触部の先端から前記第３の方向で前記一辺側へ延在しかつ前記第２の配線パターンよりも前記第１及び第２の方向における幅寸法が狭く形成されて前記ベース板の板面に第２の幅狭部が配設されており、該第２の幅狭部が少なくとも前記第１の接触部間で前記第１の接触部に対して前記第１及び第２の方向で間隔をもって位置しているフレキシブル配線基板。」の点で一致し、次の点で相違する。
（イ）第１及び第２の先細り状部は、本願発明２では、第３及び第４の方向で第１及び第２の方向に平行な一軸仮想線を含み互いに重なりに近い状態で接近しているのに対し、引用発明では、第３及び第４の方向で互いに接近しているものの、第１及び第２の方向に平行な一軸仮想線を含み互いに重なりに近い状態で接近していることが明らかでない点。
　　
　そこで、相違点（イ）について以下検討する。
　フレキシブルプリント回路基板の先端部の辺に沿って多数の電極（導電部、端子）を設け、それらの巾広の接触部を該辺と直交する方向へ交互に変位させているものにおいて、各接触部に先細り状部を、該回路基板の先端部の辺に沿う方向に平行な一軸仮想線を含むように互いに重なりに近い状態で接近させて交互に逆向きに設けることは、次の周知例１、２に記載されるように、本願出願前周知の技術であると認められる。
　　
周知例１：実願昭６１−１０６５２４号（実開昭６３−１２８７２号）のマイクロフイルム
　第１図が示されるとともに、「接触部４が導電部２の他の部分５より幅広く形成されてなるプリント基板６に於て、隣合う接触部４はプリント基板６の差込み・抜出し方向（第１図の場合は上下方向）に交互に逆向きに幅を狭くした狭幅部７が形成され且隣合う狭幅部７が相互に隣の狭幅部７の位置まで入込む（第１図のＬの分だけオーバーラップする）ように配置されてなる」（第４頁１３〜２０行）、
「本考案のプリント基板は・・・・フレキシブルプリント基板でもよい。」（第６頁３〜５行）が記載されている。
周知例２：特開平５−１５２０３９号公報
　図７、図８が示されるとともに、「金属端子３０′は、コネクタの挿入穴に挿入される先端側の部分において、各金属端子３０′毎に長手方向に向かってその幅を広くした部分ａと狭くした部分ｂを交互に互い違いに千鳥状に組み合わせて構成されている。」段落【００３６】）、
「この実施例に用いる金属端子３０″も、コネクタの挿入穴に挿入される先端側の部分において、各金属端子３０″毎に長手方向に向かってその幅を広くした部分ａと狭くした部分ｂを交互に互い違いに千鳥状に組み合わせて構成されている。」（段落【００３９】）と記載されており、
　図７、図８には、各金属端子３０′、又は３０″毎に長手方向に向かってその幅を広くした部分ａの交互の先細り状部が互い違いに入り込み、コネクタへの挿入方向にオーバーラップしている点が示されている。
　　
　してみると、引用発明のフレキシブルプリント回路基板においても、第１及び第２の先細り状部（電極（１３）及び電極（１３ａ）の接触部の先細り状部）を、第３及び第４の方向（辺と直交する方向）で第１及び第２の方向（辺に平行な方向）に平行な一軸仮想線を含むように互いに接近させて設けることは、当業者が設計上適宜に採用し得ることであるといえる。
　また、フレキシブルプリント回路基板の強度の弱い部分の屈曲、断線等が生じないように、その強度の弱い部分に導体パターンを設けて補強すること、或いは、その強度の弱い部分の導体パターンを補強することは、次の周知例３〜５に記載されるように、本願出願前周知の技術であると認められる。　　
周知例３：実願昭５７−３５１１４号（実開昭５８−１３８３６５号）のマイクロフイルム
　第２図が示されるとともに、「補強パターン７は導体５よりも幅を大きくとり強度を大きくしＦＰＣのちぎれが導体５まで至るのを防ぐ機能を有する。ダミーパッド６は・・・接続パッド４と同じ幅のものを２本設けており、接続パッド４の剥離，断線を２重に防止している。」（第２頁１９行〜第３頁４行）と記載されている。
周知例４：特開平８−４６３１０号公報
「接続端子露出部と被覆部との境界上において、先端側の接続端子からの引き出し線をＦＰＣ内の最小幅よりも広く構成しているため断線に対する強度を増すことができる。従って補強板などを必要としない安価なＦＰＣを用いることができる。
【００３５】また、電気接続部の先端側と根元側のそれぞれの接続端子から延出される引き出し線の線幅は、接続端子露出部と被覆部との境界上において、徐々に変化させているため、それぞれの接続端子から延出される引き出し線に加わる応力を分散かつ均一化させることができる。従って、繰り返しの屈曲に対しても、断線のしにくい構造とすることができるため、補強板などを必要としない安価なＦＰＣを用いることができる。」（段落【００３４】【００３５】）と記載されている。
周知例５：特開平４−１３７６８８号公報
　第１図（ｂ）、第４図が示されるとともに、「実施例２」として、
「第１図（ｂ）は実施例２を示し、第４図に示した従来例に対応する。
　本実施例は、信号パターン３ｇの細線パターン部に食い込むように、コモンパターン３ａの斜線で示す拡張導電パターン部３ａ’を基板１上に設けたもので、基板１の補強を拡張導電パターン部３ａ’により図っている。」（第３頁左上欄２０行〜右上欄６行）、
［発明の効果］として、「本発明によれば、フレキシブルプリント基板の曲げ剛性を高めると共に均一化し、細線パターン部への応力集中を緩和して断線事故を未然に防止することができる。」（第４頁右上欄７〜１１行）と記載されている。
　　
　そうすると、引用発明のフレキシブルプリント回路基板も、第１及び第２の先細り状部（電極（１３）及び電極（１３ａ）の接触部の先細り状部）を、第３及び第４の方向（辺と直交する方向）で第１及び第２の方向（辺に平行な方向）に平行な一軸仮想線を含むように互いに接近させて設ければ、該接触部付近の補強にもなり、該接触部付近の屈曲、断線等を防ぎ得ることは、上記周知技術から当業者が普通に予測できることであるから、引用発明において、第１及び第２の先細り状部を、第３及び第４の方向で第１及び第２の方向に平行な一軸仮想線を含み互いに重なりに近い状態で接近させることは、当業者が容易に想到し得たものと認められる。
　　
　また、相違点（イ）に係る本願発明２の発明特定事項によってもたらされる効果について検討するに、第１及び第２の先細り状部を接近させて設けることにより、フレキシブルプリント回路基板の上記の部分を補強でき、その屈曲、断線等を防ぎ得ることは、上述したように、上記周知技術から当業者が普通に予測できる程度のものであるから、格別なものとはいえない。
　更にまた、本願明細書には、「図３及び図４に示したフレキシブル配線基板においては、図９によって説明したフレキシブル配線基板のような屈曲が行われたとき、第１の幅狭部１１ｂの近傍に第２の接触部１２が配設されており、第１の接触部１１の近傍に第２の幅狭部１２ｂが配設されているので、第２の接触部１２または第２の幅狭部１２ｂによって屈曲に対する強度が高くなり、第１の幅狭部１１ｂが狭い部分であるにもかかわらず断線しにくい構成となる。」（段落【００３４】）、「本発明のフレキシブル配線基板では、フレキシブル配線基板に屈曲がなされたたとき、第１の幅狭部の近傍に第２の接触部が配設されており、第１の接触部の近傍に第２の幅狭部が配設されているので、第２の接触部または第２の幅狭部によって屈曲に対する強度が高くなり、特に、第１の幅狭部が狭い部分であるにもかかわらず断線しにくい構成となる」（段落【００４１】）と記載されている。
　同記載によれば、引用発明の「該接触部は、隣接する電極（１３ａ）の配線パターンより細巾に形成された部分に接近し、且つ、その配線パターンより細巾に形成された延設部を先端部側に有し、該延設部は、両側に隣接する電極（１３ａ）の配線パターンより巾広に形成された両接触部間で該両接触部に対して、上記辺に平行な方向で間隔をもって位置しており、したがって、上記辺に平行な方向に交互に設けられた電極（１３）と電極（１３ａ）とは、該辺と直交する方向へ交互に変位して巾広の接触部を有し、交互に隣接する該接触部間に離間して、各電極の細巾に形成された部分又は延設部が交互に位置」するという、本願発明２と同様の構成によって、フレキシブルプリント回路基板の上記の部分を補強でき、その屈曲、断線等を防ぎ得るという効果は、引用発明において既に得られているといえるので、相違点（イ）に係る発明特定事項によって上記の効果がもたらされたとすることもできない。
　　
　したがって、本願発明２は、引用刊行物に記載された発明、及び上記周知技術に基づいて当業者が容易に発明をすることができたものである。
　　　
［４］むすび
　以上のとおり、本願発明２は、引用刊行物に記載された発明、及び上記周知技術に基づいて当業者が容易に発明をすることができたものであるから、特許法第２９条第２項の規定により特許を受けることができない。
　また、上記のとおり本願発明２が特許を受けることができないため、本願の請求項１、３、４に係る発明について検討するまでもなく、本願は拒絶すべきものである。
　よって、結論のとおり審決する。